(57)【要約】【課題】複数種の家庭用衛生紙を用途に合わせて使い分けたい場合であってもスペースを多く取らないようにする。【解決手段】ティッシュペーパー、ローション薬液入りティッシュペーパー、ナプキン、キッチンタオル等の家庭用衛生紙３が上下の家庭用衛生紙３，３と折り重ねられた状態で重畳されるとともに、この家庭用衛生紙束３Ａが長手方向に沿ってミシン目４ａが形成されたフィルム包装袋４に収容された２つのパッケージ包装衛生紙２、２が、相対する面側にそれぞれ取出口６ａ、６ａを有する容器６内に、背面側を対面させた状態で、かつ前記家庭用衛生紙３の種別をそれぞれ異ならせた条件で収容されている。【選択図】  図２
2004231225.tif 000002
【特許請求の範囲】
【請求項１】
家庭用衛生紙が上下の家庭用衛生紙と折り重ねられた状態で重畳されるとともに、この家庭用衛生紙束が長手方向に沿ってミシン目が形成されたフィルム包装袋に収容された２つのパッケージ包装衛生紙が、相対する面側にそれぞれ取出口を有する容器内に、背面側を対面させた状態で、かつ前記家庭用衛生紙の種別をそれぞれ異ならせた条件で収容されていることを特徴とする家庭用衛生紙収容製品。
【請求項２】
前記２つのパッケージ包装衛生紙は、包装される家庭用衛生紙が、ティッシュペーパー、ローション薬液入りティッシュペーパー、ナプキン、キッチンタオルから選択された異なる２種の組合せとされる請求項１記載の家庭用衛生紙収容製品。
【請求項３】
前記フィルム包装袋内に復元性を有する可撓性シートを内挿してある請求項１、２いずれかに記載の家庭用衛生紙収容製品。
【請求項４】
前記フィルム包装袋のミシン目は、パッケージ包装衛生紙の長手方向に略平行に形成された２条のミシン目とされ、かつ前記２条のミシン目は一端側で連続されるとともに、他端側に切起し部またはタブ等の摘み部が設けられている請求項１〜３いずれかに記載の家庭用衛生紙収容製品。
【請求項５】
前記ミシン目の条間は、１〜５ｍｍである請求項４記載の家庭用衛生紙収容製品。
【請求項６】
前記家庭用衛生紙を収容する容器の形状は、直方体または筒体とされ、かつ紙、金属、樹脂、木材のいずれかよりなる請求項１〜５いずれかに記載の家庭用衛生紙収容製品。
【請求項７】
前記家庭用衛生紙収容製品の外部には、フック掛止用開孔が形成された吊下げ部が形成されている請求項１〜６いずれかに記載の家庭用衛生紙収容製品。
【請求項８】
前記家庭用衛生紙を収容する容器は、開閉可能な蓋部を有し、前記パッケージ包装衛生紙を入れ替え可能としてある請求項１〜７いずれかに記載の家庭用衛生紙収容製品。
【発明の詳細な説明】
【０００１】
【発明の属する技術分野】
本発明は、ティッシュペーパー、ローション薬液入りティッシュペーパー、ナプキン、キッチンタオルなどの家庭用衛生紙を順に取出し可能な状態で収容した家庭用衛生紙収容製品に関する。
【０００２】
【従来の技術】
現在、家庭用衛生紙は使用者の便宜に供するように種々の種類のものが市場に提供されている。具体的には、ティッシュペーパーが代表的であるが、その他にも、例えば、鼻をかむ際の不快感を和らげるために使用されるローション薬液入りティッシュペーパー、食事の際に衣服の汚れを拭き取ったりするのを主な目的として使用されるナプキン、主に台所でキッチン台の汚れや水滴を拭き取るために使用されるキッチンタオル等がよく知られている。
【０００３】
これらの家庭用衛生紙は、例えばティッシュペーパーを使用したい一方で、鼻をかむ際の痛みを和らげたいためローション薬液入りティッシュペーパーを使用したい場合や、食卓において衣服の汚れを拭き取るためにナプキンを使用したい一方で、テーブル上の汚れを拭くためにキッチンタオルを使用したい場合等、同じ場所で用途に合わせて使い分けたい場合がある。
【０００４】
【発明が解決しようとする課題】
しかしながら、現状では、上面に取出口を有する紙箱内にティッシュペーパーを折り重ねた状態で収容したボックス入りティッシュペーパーのように、１つの容器内に１種類の家庭用衛生紙を収容したものが一般的であるため、前述のように用途に合わせて衛生紙を使い分けたい場合には、種類毎に製品が必要となり多くのスペースを取ってしまう問題があった。また、これまでの家庭用衛生紙収容製品は、収容された衛生紙を使い切ったならば容器は使い捨てとされていたため、資源の無駄遣いとなっているなどの問題があった。
【０００５】
そこで、本発明の主たる課題は、複数種の家庭用衛生紙を用途に合わせて使い分けたい場合であってもスペースを多く取らないようにするとともに、資源の節減を図ることができる家庭用衛生紙収容製品を提供することにある。
【０００６】
【課題を解決するための手段】
前記課題を解決するための請求項１に係る本発明として、家庭用衛生紙が上下の家庭用衛生紙と折り重ねられた状態で重畳されるとともに、この家庭用衛生紙束が長手方向に沿ってミシン目が形成されたフィルム包装袋に収容された２つのパッケージ包装衛生紙が、相対する面側にそれぞれ取出口を有する容器内に、背面側を対面させた状態で、かつ前記家庭用衛生紙の種別をそれぞれ異ならせた条件で収容されていることを特徴とする家庭用衛生紙収容製品が提供される。
【０００７】
上記請求項１記載の本発明においては、前記家庭用衛生紙を収容する容器の相対する面側にそれぞれ取出口を形成し、種別の異なる２つパッケージ包装衛生紙を背面側を対面させた状態で収容するようにした。従って、ユーザーが用途に応じて１つの家庭用衛生紙収容製品から２種類の家庭用衛生紙を取り出すことが可能となるため、用途に合わせて使い分けたい場合であってもスペースを多く取らずに済むようになる。
【０００８】
請求項２に係る本発明として、前記２つのパッケージ包装衛生紙は、包装される家庭用衛生紙が、ティッシュペーパー、ローション薬液入りティッシュペーパー、ナプキン、キッチンタオルから選択された異なる２種の組合せとされる請求項１記載の家庭用衛生紙収容製品が提供される。家庭用衛生紙の種別としては、例えばティッシュペーパー、ローション薬液入りティッシュペーパー、ナプキン、キッチンタオルを挙げることができる。
【０００９】
請求項３に係る本発明として、前記フィルム包装袋内に復元性を有する可撓性シートを内挿してある請求項１、２いずれかに記載の家庭用衛生紙収容製品が提供される。
【００１０】
上記請求項３記載の本発明においては、フィルム包装袋内に復元性を有する可撓性シートを内挿したため、フィルム包装袋の形状、及び収容された家庭用衛生紙の形状が保持されるようになるため、家庭用衛生紙の片寄りやヨレを効果的に防止することが可能となる。
【００１１】
請求項４に係る本発明として、前記フィルム包装袋のミシン目は、パッケージ包装衛生紙の長手方向に略平行に形成された２条のミシン目とされ、かつ前記２条のミシン目は一端側で連続されるとともに、他端側に切起し部またはタブ等の摘み部が設けられている請求項１〜３いずれかに記載の家庭用衛生紙収容製品が提供される。
【００１２】
通常形成される１本のミシン目の場合には、ミシン目を開く方向に力を加えて開封されるが、本家庭用衛生紙収容製品の場合は、パッケージ包装衛生紙が容器内に収容されている状態のため、ミシン目を開く方向に力を加え難い。従って、上記請求項４記載の本発明においては、略平行な２条のミシン目とし、パッケージ包装衛生紙を開封する際には、容器の取出し口から２本の指を挿入し、前記摘み部を摘んで引き上げることによりミシン目の開封が容易に行えるようにした。
【００１３】
請求項５に係る本発明として、前記ミシン目の条間は、１〜５ｍｍである請求項４記載の家庭用衛生紙収容製品が提供される。
【００１４】
請求項６に係る本発明として、前記家庭用衛生紙を収容する容器の形状は、直方体または筒体とされ、かつ紙、金属、樹脂、木材のいずれかよりなる請求項１〜５いずれかに記載の家庭用衛生紙収容製品が提供される。
【００１５】
請求項７に係る本発明として、前記家庭用衛生紙収容製品の外部には、フック掛止用開孔が形成された吊下げ部が形成されている請求項１〜６いずれかに記載の家庭用衛生紙収容製品が提供される。従って、本家庭用衛生紙収容製品をフックに引っ掛け吊り下げた状態で使用可能となる。
【００１６】
請求項８に係る本発明として、前記家庭用衛生紙を収容する容器は、開閉可能な蓋部を有し、前記パッケージ包装衛生紙を入れ替え可能としてある請求項１〜７いずれかに記載の家庭用衛生紙収容製品が提供される。パッケージ包装衛生紙を使い切ったならば、前記蓋部を開けてパッケージ包装衛生紙を詰め替えできるため、資源の節約を図ることができる。また、パッケージ包装衛生紙の種別を違えたい場合にも対応できるようになる。
【００１７】
【発明の実施の形態】
以下、本発明の実施の形態について図面を参照しながら詳述する。
【００１８】
（第１形態例）
図１は家庭用衛生紙収容製品１の斜視図、図２はそのＩＩ−ＩＩ線矢視図、図３はパッケージ包装衛生紙２の斜視図である。
【００１９】
前記衛生紙収容製品１は、容器６と、この容器６内に収容される２つのパッケージ包装衛生紙２，２とから構成されている。
【００２０】
前記容器６は、例えば図示のように直方体とされ、紙、金属、樹脂、木材のいずれかの材料より構成することができる。前記容器６の相対する面側にはそれぞれ衛生紙取出口６ａ、６ａが形成されている。
【００２１】
一方、前記パッケージ包装衛生紙２は、図３に示されるように、衛生紙３が上下に積み重ねられる衛生紙３，３と折り重ねられた状態で重畳された衛生紙束３Ａが、プラスチック製のフィルム包装袋４内に収容されたものである。なお、同図では前記パッケージ包装衛生紙２の包装形態は、開口側短辺７，７の２辺をシール封鎖する２辺シール包装、所謂ピロー包装が採用されている。前記重畳された衛生紙束３Ａは、１０〜５０ｍｍ程度の厚みとされ、フィルム包装袋４は収容される衛生紙束３Ａがヨレや型崩れを起こし難いように、好ましくは厚みが５０〜１００μｍとされ、従来のフィルム包装袋からすればかなり厚手のものが使用されている。素材はポリエチレン又はポリプロピレンなどを好適に使用することができる。
【００２２】
前記フィルム包装袋４の表面にはミシン目４ａが形成されており、使用時には前記ミシン目４ａを開封し、最上部の衛生紙３を取り出すと、次の衛生紙３が取り出し易いようにミシン目４ａよりその一部が突出する、所謂ポップアップ方式が採用されている。
【００２３】
前記衛生紙３の重畳構造としては、ボックスタイプなどで採用されている一般的な２つ折りの他、３つ折り（Ｚ折り又は変形Ｚ折り）などがある。前記２つ折り重畳構造は、図５に示されるように、各衛生紙３が略中央線を折り目として約半分に折り畳まれ、衛生紙３を１枚づつ交互に対向させ、図中（以下同様）上側に重ね合わされる衛生紙の下側部分３ａと下側に重ね合わされる衛生紙の上側部分３ｂとを順次重ね合わせて成る重畳構造である。前記３つ折りは、主にウェットティッシュなどに採用されている重畳構造で、例えば図６に示されるように、各衛生紙３がほぼ中央部を折り目として折り畳まれるとともに、これら両折り畳み片の一方側片において、そのほぼ中央部を折り目としてさらに先端側が反対側に折り返されることにより断面不等辺Ｚ状に折り畳まれ、前記不等辺Ｚ形状を構成する各面のうち、辺長の最も長い部分を上部分３ｂ、この上部分に隣接する中間を中部分３ｃ、残りを下部分３ｄとして、下側に重ね合わされる衛生紙３の前記上部分３ｂのほぼ先端側半分が、上側に重ね合わされる衛生紙３の前記上部分３ｂと中部分３ｃとによって挟まれながら、順次衛生紙３が積み重ねられている重畳構造や、図７に示されるように、中央線を折り目として約半分に折り畳まれた第１衛生紙３と、外側部分がそれぞれ反対面側に折り返され断面Ｚ状とされる第２衛生紙３’とが積層方向に交互に配列されるとともに、前記第１衛生紙３の上側部分３ｂのほぼ先端側半分が前記第２衛生紙３’の断面Ｚ形状を構成する下側の折返し部分３ｇと中間部分３ｆとの間に挟まれ、かつ前記第１衛生紙３の下側部分３ａのほぼ先端側半分が前記第２衛生紙３’の断面Ｚ形状を構成する上側折返し部分３ｅと中間部分３ｆとに挟まれながら順次積み重ねられている重畳構造などを挙げることができる。
【００２４】
前記パッケージ包装衛生紙２においては、フィルム包装袋４の内部に、図２及び図３に示されるように、復元性を有する可撓性シート５が内挿され、収容された衛生紙束３Ａの片寄りやヨレを防止するようになっている。図示の例では衛生紙束３Ａの上面側に挿入されるとともに、ミシン目４ａ対応部位には衛生紙取出口用の開口５ａを有するものが使用されている。前記可撓性シート５としては、例えば合成紙、厚地プラスチックフィルム等が好適に使用される。なお、前記可撓性シート５は衛生紙束３Ａの下面側に挿入するようにしてもよい。この場合には衛生紙取出し用の開口５ａは不要である。
【００２５】
前記パッケージ包装衛生紙２は、衛生紙の種別が異ならせたものが２つ用意され、図２に示されるように、これら２つのパッケージ包装衛生紙２，２が前記容器６内に、背面側を対面させた状態で収容されるようになっている。
【００２６】
前記パッケージ包装衛生紙２、２内に収容される衛生紙３としては、例えばティッシュペーパー、ローション薬液入りティッシュペーパー、ナプキン、キッチンタオル等が挙げられ、これらのうちから任意に選択された２種類の組合せとすることができる。
【００２７】
ところで、前記パッケージ包装衛生紙２，２が容器６内に収容された状態では、ミシン目４ａの開封が行いづらいものとなるため、図４（Ａ）（Ｂ）に示されるように、ミシン目は、パッケージ包装衛生紙２の長手方向に略平行に形成された２条のミシン目４ａ、４ａとし、前記２条のミシン目４ａ、４ａが一端側で連続されるとともに、他端側に、図４（Ａ）に示される切起し部４ｂや、図４（Ｂ）に示されるタブ４ｃ等の摘み部を設けるようにするのが望ましい。開封に当たっては、容器６の取出口６ａから２本の指を挿入し、前記摘み部４ｂ（４ｃ）を摘んで引き上げることにより、簡単にミシン目４ａを開封できるようになる。前記２条のミシン目４ａ、４ａの条間Ｈは１〜５ｍｍ程度とすることが望ましい。
【００２８】
ところで、前記容器６においては、開閉可能な蓋部（図示せず）を設けることにより、前記パッケージ包装衛生紙２，２を入れ替え可能とし、収容されるパッケージ包装衛生紙２の衛生紙種別を取り替えたり、衛生紙３を使い切ったならば、新たなパッケージ包装衛生紙２に交換できるようにするのがよい。
【００２９】
（第２形態例）
次いで、図８に示される第２形態例に係る衛生紙収容製品１Ａは、フック等に吊下げて使用可能な構造としたものである。
【００３０】
本衛生紙収容製品１Ａは、同図に示されるように、前記パッケージ包装衛生紙２，２の対峙面の間に、合紙９を介在させるとともに、この合紙９から延在する吊下げ部９Ａを容器６の上面に形成したスリット溝６ｂから外部に突出させるようにしたものである。前記吊下げ部９Ａには、フック掛止用開孔９ａが形成され、本衛生紙収容製品１Ａをキッチンや洗面所などでフック等に掛止し、吊下げできるようになっている。
【００３１】
なお、図９に示される衛生紙収容製品１Ｂのように、フック掛止用開孔１０ａを有する吊下げ部１０を容器６に対して一体的に設けてもよい。
【００３２】
（第３形態例）
次いで、図１０に示される第３形態例に係る衛生紙収容製品１Ｃは、容器６の形状を筒状としたものである。この場合、筒状容器６は、携帯し易いように可撓性を有する樹脂シートによって構成してもよい。また、蓋部はチャック等によって形成してもよい。
【００３３】
また、図１１に示される衛生紙収容製品１Ｄのように、前記収容製品１Ａ同様に合紙９を容器６内に挿入し吊下げ部９Ａを設けることとしてもよく、また、図１２に示される衛生紙収容製品１Ｅのように、吊下げ部１０を容器６に一体的に設けるようにしてもよい。
【００３４】
【発明の効果】
以上詳説のとおり本発明によれば、容器内に衛生紙種別の異なる２つのパッケージ包装衛生紙を収容し、それぞれのパッケージ包装衛生紙から衛生紙を取り出し可能としたため、複数種の家庭用衛生紙を用途に合わせて使い分けたい場合であってもスペースを多く取らない。また、パッケージ包装衛生紙を使い切ったならば、前記蓋部を開けてパッケージ包装衛生紙を詰め替えできるようにしたため、資源を節約できるようになる。
【図面の簡単な説明】
【図１】本発明の第１形態例に係る家庭用衛生紙収容製品１の斜視図である。
【図２】そのＩＩ−ＩＩ線矢視図である。
【図３】パッケージ包装衛生紙２の斜視図である。
【図４】（Ａ）（Ｂ）はそれぞれ、ミシン目の他の態様を示す図である。
【図５】家庭用衛生紙３の重畳構造（２つ折り）を示す断面図である。
【図６】家庭用衛生紙３の重畳構造（３つ折り）を示す断面図である。
【図７】家庭用衛生紙３の重畳構造（変形３つ折り）を示す断面図である。
【図８】本発明の第２形態例に係る衛生紙収容製品１Ａの斜視図である。
【図９】吊下げ部１０が形成された衛生紙収容製品１Ｂの斜視図である。
【図１０】本発明の第３形態例に係る衛生紙収容製品１Ｃの斜視図である。
【図１１】吊下げ部９Ａが形成された衛生紙収容製品１Ｄの斜視図である。
【図１２】吊下げ部１０が形成された衛生紙収容製品１Ｅの斜視図である。
【符号の説明】
１・１Ａ〜１Ｅ…衛生紙収容製品、２…パッケージ包装衛生紙、３…衛生紙、４…フィルム包装袋、４ａ…ミシン目、５…可撓性シート、６…容器、９Ａ・１０…吊下げ部
【図１】
2004231225.tif 000003
【図２】
2004231225.tif 000004
【図３】
2004231225.tif 000005
【図４】
2004231225.tif 000006
【図５】
2004231225.tif 000007
【図６】
2004231225.tif 000008
【図７】
2004231225.tif 000009
【図８】
2004231225.tif 000010
【図９】
2004231225.tif 000011
【図１０】
2004231225.tif 000012
【図１１】
2004231225.tif 000013
【図１２】
2004231225.tif 000014